(57)【要約】【課題】着色の作業性を損なわずに、周辺を汚すことなく、絵筆を仮置することができる絵画用パレットを提供する。【解決手段】底板２３の周縁２３ｂから立設した外縁壁２４ａ、および底板２３の板面２３ａから立設した仕切壁２４ｂからなる周壁２４で囲まれた皿状凹部からなる調色部２８を有するパレット本体２２を備えた絵画用パレット１に、周壁２４の少なくとも１ヶ所に設けられた凹みからなる仮置部２９を設ける。【選択図】図１
0003130705.tif 000002
【実用新案登録請求の範囲】
【請求項１】
底板の周縁から立設した外縁壁、および該底板の板面から立設した仕切壁からなる周壁で囲まれた皿状凹部からなる調色部を有するパレット本体を備えた絵画用パレットにおいて、
前記周壁の少なくとも１ヶ所に設けられた凹みからなる仮置部を備えたことを特徴とする絵画用パレット。
【請求項２】
請求項１に記載の絵画用パレットにおいて、
前記パレット本体の対向する前記周壁における各対向する部位の一方に配置される低仮置部と、
前記パレット本体の対向する前記周壁における各対向する部位の他方に配置され、前記底板からの距離が該低仮置部より離れた高仮置部と、から前記仮置部が構成されたことを特徴とする絵画用パレット。
【請求項３】
請求項２に記載の絵画用パレットにおいて、
２つの前記パレット本体の各周縁をヒンジにて折畳み自在に連結し、
該ヒンジが配された周壁に前記高仮置部を、
該ヒンジが配された周壁と対向する周壁に前記低仮置部をそれぞれ配置したことを特徴とする絵画用パレット。
【請求項４】
請求項３に記載の絵画用パレットにおいて、
前記一組のパレット本体について、
一方のパレット本体には、前記仮置部が配置され、
他方のパレット本体には、前記仕切壁によって仕切られ、前記調色部よりも小さな凹形状を有する絵の具小分け部が、前記ヒンジが配された周壁と対向する周壁に沿って複数配置されたことを特徴とする絵画用パレット。
【考案の詳細な説明】
【技術分野】
【０００１】
本考案は、図画工作における水彩画の授業などで使用され、絵の具を容器から小分けし、色の調合を行なう絵画用パレットに関する。
【背景技術】
【０００２】
この種の従来の絵画用パレットとして、特許文献１に開示されたものがある。この絵画用パレット１０１は、図６に示すように、複数の絵の具小分け部１０１と、複数の調色部１０２とを備えるとともに、各絵の具小分け部に色指標１０３を設けたものである。この絵画用パレット１０１は、主に小学校の図画工作における水彩画の授業で使用され、色指標１０３に従って各色の絵の具を絵の具小分け部１０１に取置き、絵の具小分け部１０１から適量の絵の具を調色部１０２に取出して、色の調合を行なうものである。
【０００３】
水彩画の授業では、画用紙に着色する際に、絵画用パレットを一方の手に持ちつつ、他方の手で筆を持つ場合があるが、絵画用パレットを持ちながらの作業は児童にとって困難なため、絵画用パレットを画用紙とともに机上に置いた状態で使用することが多く行なわれている。また、水彩画では、絵画用パレットとともに、絵筆を洗うための水を入れた洗筆器が必要であるが、教室の授業で使用される各児童の机は、机上が狭く、画用紙と絵画用パレット以外のものを机上に配置することが困難である。したがって、洗筆器などは足下に置いての作業が一般的である。
【０００４】
絵の具を容器から小分けする際には、絵画用パレットを机上に置いた状態で、チューブなどの容器のキャップを外して、絵の具小分け部に取置く。このような場合には、絵筆を一時的にどこかへ仮置しなければならない。
【０００５】
そして、従来では、絵筆を仮置きする手段として、洗筆器の縁、および取っ手に凹部や孔からなる仮置部を設けて仮置きすることが一般的に行なわれている。
【特許文献１】特開平７−２９９９９２号公報
【考案の開示】
【考案が解決しようとする課題】
【０００６】
しかしながら、洗筆器に仮置部を設けた場合、机上の絵筆を足下の洗筆器に仮置きすることになり、児童の動作が大きくて作業性が悪い上に、絵筆に付いた絵の具で周辺を汚す可能性があるとともに、洗筆器に不用意に接触して、洗筆器内の水をこぼす可能性があった。
【０００７】
そこで、本考案は、前記した課題を解決すべくなされたものであり、着色の作業性を損なわずに、周辺を汚すことなく、絵筆を仮置することができる絵画用パレットを提供することを目的とする。
【課題を解決するための手段】
【０００８】
請求項１の考案は、底板の周縁から立設した外縁壁、および該底板の板面から立設した仕切壁からなる周壁で囲まれた皿状凹部からなる調色部を有するパレット本体を備えた絵画用パレットにおいて、前記周壁の少なくとも１ヶ所に設けられた凹みからなる仮置部を備えたことを特徴とする。
【０００９】
請求項２の考案は、請求項１に記載の絵画用パレットにおいて、前記パレット本体の対向する前記周壁における各対向する部位の一方に配置される低仮置部と、前記パレット本体の対向する前記周壁における各対向する部位の他方に配置され、前記底板からの距離が該低仮置部より離れた高仮置部と、から前記仮置部が構成されたことを特徴とする。
【００１０】
請求項３の考案は、請求項２に記載の絵画用パレットにおいて、２つの前記パレット本体の各周縁をヒンジにて折畳み自在に連結し、該ヒンジが配された周壁に前記高仮置部を、該ヒンジが配された周壁と対向する周壁に前記低仮置部をそれぞれ配置したことを特徴とする。
【００１１】
請求項４の考案は、請求項３に記載の絵画用パレットにおいて、前記一組のパレット本体について、一方のパレット本体には、前記仮置部が配置され、他方のパレット本体には、前記仕切壁によって仕切られ、前記調色部よりも小さな凹形状を有する絵の具小分け部が、前記ヒンジが配された周壁と対向する周壁に沿って複数配置されたことを特徴とする。
【考案の効果】
【００１２】
請求項１の考案によれば、絵筆を仮置部に配置することで、絵筆をパレット本体の上に仮置きできるので、仮置する度に着色の作業性を損なうことがない上に、周辺を汚すことがない。
【００１３】
請求項２の考案によれば、高仮置部側に筆先が、低仮置部側に軸端が位置するように絵筆を仮置きすることで、筆先がパレットの底板、および机上面から離れるので、仮置きする際に筆先にパレット上の絵の具が付くことがないとともに、筆先で机上面を汚すことがない。
【００１４】
請求項３の考案によれば、筆先から絵の具が垂れても絵の具はパレット本体の上に落ちるため、机上面を汚すことがない。
【００１５】
請求項４の考案によれば、筆をパレット本体の上に仮置きした状態で、絵の具を絵の具小分け部に取出す際に、筆が絵の具小分け部上に位置しないため、絵筆を置換えるなどの煩雑な作業がなく、作業性が向上する。
【考案を実施するための最良の形態】
【００１６】
以下、本考案を図面に基づいて説明する。図１〜図５は、絵画用パレットの一実施形態を示し、図１は本実施形態の絵画用パレットを開いた状態で斜め上方から見た斜視図、図２は図１の要部拡大図、図３は図１の絵画用パレットに絵筆を仮置きした様子を示す斜視図、図４は図３のＡ−Ａ線に沿った断面図、図５は本実施形態の絵画用パレットを折畳んだ状態を示す斜視図である。
【００１７】
本実施形態の絵画用パレット１は、図１に示すように、パレット本体２である小分け側パレット本体１２と調色側パレット本体２２とから構成されている。これら小分け側パレット本体１２と調色側パレット本体２２は、ともに略長方形に、且つ外形寸法がほぼ一致するように形成されている。これら小分け側パレット本体１２と調色側パレット本体２２のそれぞれには、対向する長辺の一方の長辺１３ｃ，２３ｃの周壁１４ｃ，２４ｃにヒンジ５が設けられ、このヒンジ５部分にて折畳み自在に連結されている。他方の長辺１３ｄ，２３ｄ、つまりヒンジ５が設けられたヒンジ側長辺１３ｃ，２３ｃと対向する係合保持部側長辺１３ｄ，２３ｄの周壁１４ｄ，２４ｄには、係合突部６ａと係合受部６ｂとからなる係合保持部６が配置されている。小分け側パレット本体１２と調色側パレット本体２２を折畳み、重ねた状態で、係合突部６ａと係合受部６ｂとが係合し、図５に示すように、折畳んだ状態を保持する構成となっている。
【００１８】
小分け側パレット本体１２には、係合保持部６の他に、絵の具小分け部１５、指孔１６、キャップ孔１７、および調色部１８が設けられている。
【００１９】
絵の具小分け部１５は、底板１３の周縁１３ｂから立設した外縁壁１４ａ、および底板１３の板面１３ａから立設した仕切壁１４ｂからなる周壁１４で囲まれた小型の皿状凹部で、係合保持部６が配置された係合保持部側周壁１４ｄに沿って１２ヶ所形成されている。これら絵の具小分け部１５のそれぞれには、絵の具の１２色セットに対応した色指標１５ｂが配置されている。また、これら１２ヶ所の絵の具小分け部１５とは別に、小分け側パレット本体１２の短辺１３ｅに沿って、絵の具小分け部１５と同様の形状を有する補助小分け部１５ａが３ヶ所形成されている。
【００２０】
指孔１６は、小分け側パレット本体１２の中央部分のヒンジ５側に開口する、ヒンジ側長辺１３ｃに沿った長孔である。この指孔１６の長手方向の先には、滑止部１６ａが形成され、指孔１６に指を差込み、絵画用パレット１を持った状態で指が滑らないように構成されている。
【００２１】
キャップ孔１７は、絵の具チューブ（不図示）のキャップを差込み、絵の具チューブを回転させることで、キャップを外し、絵の具を小分けする機能を備えた孔である。
【００２２】
異なる大きさのキャップを有する絵の具チューブに対応するため、異なる径の孔が４つ形成されている。また、キャップ孔内周壁１７ａには滑止めが設けられ、キャップが空回りしないように構成されている。
【００２３】
調色部１８は、底板１３の周縁１３ｂから立設した外縁壁１４ａ、および底板１３の板面１３ａから立設した仕切壁１４ｂからなる周壁１４で囲まれた絵の具小分け部１５よりも大きな皿状凹部で、異なる大きさのものが３ヶ所設けられている。
【００２４】
調色側パレット本体２２には、係合保持部６の他に、調色部２８と、仮置部２９が設けられている。
【００２５】
調色部２８は、小分け側パレット本体１２の調色部１８よりも大型の皿状凹部で、調色側パレット本体２２を長手方向に３分割するように、底板２３の周縁２３ｂから立設した外縁壁２４ａで囲まれた板面２３ａを仕切壁２４ｂが仕切っている。
【００２６】
仮置部２９は、周壁２４である、調色側パレット本体２２のヒンジ側長辺２３ｃに沿った外縁壁２４ａの上縁に形成された円弧状の凹みである。そして、これら周壁２４には、係合保持部６とヒンジ５とが配置されている。係合保持部６が配置された周壁２４である係合保持部側周壁２４ｄには、低仮置部２９ａが、ヒンジ５が配置された周壁２４であるヒンジ側周壁２４ｃには、高仮置部２９ｂがそれぞれ配置されている。
【００２７】
なお、ヒンジ側周壁２４ｃは、係合保持部側周壁２４ｄよりも壁が高く設定され、上縁が底板２３から離れているため、高仮置部２９ｂの方が低仮置部２９ａよりも高い位置、つまり底板２３から離れた位置に配置されている。また、高仮置部２９ｂと低仮置部２９ａは対をなしており、対向する周壁２４の対向する部位にそれぞれ配置されている。
【００２８】
仮置部２９は、中央の調色部２８ａを除いた両脇の調色部２８ｂを形成する周壁２４の中央の調色部２８ａ寄りに２対ずつ、合計４対配置されている。さらに、仮置部２９は、仮置部２９に絵筆４０を仮置きした状態で、絵筆４０が小分け側パレット本体１２の補助小分け部１５ａに重ならない位置に配置されている。
【００２９】
以上のような構成により、絵筆４０をパレット本体２の上に仮置きできるので、仮置する度に煩雑な動作を行なうことがなくなり、着色の作業性が向上する上に、周辺を汚すことがない。
【００３０】
また、高仮置部２９ｂ側に筆先４１が、低仮置部２９ａ側に軸端４２が位置するように絵筆４０を仮置きすることで、筆先４１がパレット本体２の底板１３，２３、および机上面から離れた状態で絵筆４０が置かれるので、仮置きする際に筆先４１にパレット本体２上の絵の具が付くことがないとともに、筆先４１で机上面を汚すことがない。また、もしも、筆先４１から絵の具が垂れても絵の具はパレット本体２上に落ちるため、机上面を汚すことがない。
【００３１】
絵筆４０をパレット本体２の上に仮置きした状態で、絵の具を絵の具小分け部１５に取出す際に、絵筆が絵の具小分け部１５，１５ａ上に位置しないため、絵筆４０を置換えるなどの煩雑な作業がなく、作業性が向上する。
【００３２】
さらに、パレット本体２を折畳んだ状態で、仮置部２９は、指孔１６、キャップ孔１７とともに、絵画用パレット１を貫通し、使用後の絵画用パレット１の乾燥を促進することができる。
【００３３】
なお、本実施形態では、仮置部２９が円弧状の凹みで形成されているが、Ｖ字形状などの他の形状の凹みでも同様の作用効果を得ることができる。
【００３４】
また、本実施形態では、調色側パレット本体２２の外縁壁２４ａに仮置部２９を設ける構成について説明しているが、短辺２３ｅの外縁壁２４ａと短辺２３ｅに沿った仕切壁２４ｂに仮置部２９を設け、調色側パレット本体２２の長手方向に沿って絵筆４０を仮置する構成としても同様の作用効果を得ることができる。
【図面の簡単な説明】
【００３５】
【図１】本実施形態の絵画用パレットを開いた状態で斜め上方から見た斜視図である。
【図２】図１の要部拡大図である。
【図３】図１の絵画用パレットに絵筆を仮置きした様子を示す斜視図である。
【図４】図３のＡ−Ａ線に沿った断面図である。
【図５】本実施形態の絵画用パレットを折畳んだ状態を示す斜視図である。
【図６】従来技術の絵画用パレットを示す斜視図である。
【符号の説明】
【００３６】
１…絵画用パレット
５…ヒンジ
１２，２２…パレット本体
１４ｃ…周壁
１４ｄ…周壁
１５…絵の具小分け部
２３…底板
２３ａ…板面
２３ｂ…周縁
２４…周壁
２４ａ…外縁壁
２４ｂ…仕切壁
２８…調色部
２９…仮置部
２９ａ…低仮置部
２９ｂ…高仮置部
【図１】
0003130705.tif 000003
【図２】
0003130705.tif 000004
【図３】
0003130705.tif 000005
【図４】
0003130705.tif 000006
【図５】
0003130705.tif 000007
【図６】
0003130705.tif 000008